(57)【特許請求の範囲】
【請求項１】
装置本体に設置された複数のスピーカと、
外部装置から姿勢情報を受信する受信手段と、
前記外部装置の姿勢と各スピーカに供給する音声信号の制御内容の対応付けを示したテーブルを記憶する記憶部と、
前記受信手段が受信した姿勢情報に応じて前記記憶部のテーブルを参照し、各スピーカに供給する音声信号を制御する制御部と、
を備えたことを特徴とするオーディオ装置。
【請求項２】
外部装置から音声信号の供給先を示す供給先情報を受信する供給先情報受信手段を備え、
前記制御部は、前記供給先情報受信手段が受信した前記供給先情報に基づいて、受信した音声信号の供給先のスピーカを決定することを特徴とする請求項１に記載のオーディオ装置。
【請求項３】
前記制御部は、各スピーカに供給する音声信号のチャンネルを制御することを特徴とする請求項１または請求項２に記載のオーディオ装置。
【請求項４】
前記制御部は、各スピーカに供給する音声信号の帯域を制御することを特徴とする請求項１乃至請求項３のいずれかに記載のオーディオ装置。
【発明の詳細な説明】
【技術分野】
【０００１】
この発明は、種々の放音態様を実現するオーディオ装置に関する。
【背景技術】
【０００２】
従来、設置姿勢に応じて種々の処理を行うものとして、例えば特許文献１には、縦置きと横置きで、表示器の表示を縦表示と横表示に切り替えるものが提案されている。
【先行技術文献】
【特許文献】
【０００３】
【特許文献１】特開２０００−２６７６４１号公報
【発明の概要】
【発明が解決しようとする課題】
【０００４】
しかし、特許文献１の装置では、設置姿勢を変えてもスピーカから出力される音は変わらない。
【０００５】
そこで、本発明は、設置姿勢に応じて種々の放音態様を実現するオーディオ装置を提供することを目的とする。
【課題を解決するための手段】
【０００６】
この発明のオーディオ装置は、装置本体に設置された複数のスピーカと、外部装置から姿勢情報を受信する受信手段と、前記外部装置の姿勢と各スピーカに供給する音声信号の制御内容の対応付けを示したテーブルを記憶する記憶部と、前記受信手段が受信した姿勢情報に応じて前記記憶部のテーブルを参照し、各スピーカに供給する音声信号を制御する制御部と、を備えたことを特徴とする。
【０００７】
例えば、装置本体の前面左右に２つのスピーカが設置され、かつこれらのスピーカが前面方向に音を放音するように設置されているオーディオ装置である場合において、当該オーディオ装置が、装置本体の下面を鉛直下方に向けた姿勢で設置されると、聴取者に対して右側と左側に設置された一般的なステレオスピーカのように設置されることになる。したがって、制御部は、下面を鉛直下方に向けて設置された旨を検出すると、聴取者に向かって右側に位置するスピーカに左チャンネルの音声信号を供給し、聴取者に向かって左側に位置するスピーカに右チャンネルの音声信号を供給する。一方で、オーディオ装置が右面または左面を鉛直下方に向けた姿勢で設置されると、聴取者に対して上側と下側に設置された２ウェイスピーカのように設置されることになる。したがって、制御部は、右面を鉛直下方に向けて設置された旨を検出すると、右面側に位置するスピーカに低域の音声信号を供給し、左面側に位置するスピーカに高域の音声信号を供給する。逆に、制御部は、左面を鉛直下方に向けて設置された旨を検出すると、左面側に位置するスピーカに低域の音声信号を供給し、右面側に位置するスピーカに高域の音声信号を供給する。
このように、本発明のオーディオ装置は、検出した自装置の姿勢に応じて前記記憶手段のテーブルを規定しているため、設置姿勢を変更した場合でも自動的に最適な放音態様が実現される。
【０００９】
例えば、外部装置とオーディオ装置は同じ姿勢を示していることを前提とし、姿勢検出手段は、下面を鉛直下方に向けた旨を示す姿勢情報を受信すると、自装置の下面が鉛直下方に向けて設置されたと判断する。したがって、制御部は、聴取者に向かって右側に位置するスピーカに左チャンネルの音声信号を供給し、聴取者に向かって左側に位置するスピーカに右チャンネルの音声信号を供給する。一方で、オーディオ装置が右面または左面を鉛直下方に向けた姿勢で設置されると、聴取者に対して上側と下側に設置された２ウェイスピーカのように設置されることになる。したがって、制御部は、右面を鉛直下方に向けた旨を示す姿勢情報を受信すると、右面側に位置するスピーカに低域の音声信号を供給し、左面側に位置するスピーカに高域の音声信号を供給する。逆に、制御部は、左面を鉛直下方に向けた旨を示す姿勢情報を受信すると、左面側に位置するスピーカに低域の音声信号を供給し、右面側に位置するスピーカに高域の音声信号を供給する。
このように、本発明のオーディオ装置は、装着した外部装置の姿勢に応じてチャンネルや帯域等の制御を行うため、設置姿勢を変更した場合でも自動的に最適な放音態様が実現される。
【００１０】
なお、外部装置とオーディオ装置が異なる姿勢である場合を想定し、テーブルは、外部装置から受信する姿勢情報と各スピーカに供給する音声信号の制御内容の対応付けを示した内容としておくことも可能である。例えば、オーディオ装置の背面が鉛直下方に向けられると外部装置の下面が鉛直下方に向けられる場合、記憶部には、下面が鉛直下方に向けられていることを示す情報と、オーディオ装置の背面が鉛直下方に向けられた場合の制御内容と、を対応づけたテーブルを記憶しておく。
【００１１】
また、受信手段は、外部装置から音声信号の供給先を示す供給先情報を受信し、制御部は、受信手段が受信した供給先情報に基づいて、受信した音声信号の供給先のスピーカを決定する態様も可能である。
【００１２】
この場合、外部装置と連携した放音態様を実現することができる。例えば、オーディオ装置として上面左右に２つのスピーカが設置され、かつこれらのスピーカを挟むように外部装置を装着する場合において、外部装置がゲーム機（あるいはゲーム機能を内蔵した装置）であり、オーディオ装置に装着された１つのゲーム機を複数ユーザが同時に操作する場合、一方のユーザの音声を一方のスピーカから出力し、他方のユーザの音声を他方のスピーカから出力する。
【発明の効果】
【００１３】
この発明によれば、設置姿勢に応じて種々の放音態様を実現することができる。
【図面の簡単な説明】
【００１４】
【図１】図１（Ａ）は、オーディオ装置および外部装置の外観斜視図であり、図１（Ｂ）は前面から見た図である。
【図２】図２（Ａ）は、オーディオ装置の構成を示すブロック図であり、図２（Ｂ）は、外部装置の構成を示すブロック図である。
【図３】各スピーカに供給する音声信号のチャンネルを制御する例を示す図である。
【図４】各スピーカに供給する音声信号のチャンネルおよび帯域を制御する例を示す図である。
【図５】背面を鉛直下方にした場合の制御例を示す図である。
【図６】オーディオ装置の動作を示すフローチャートである。
【図７】応用例に係る制御例を示す図である。
【図８】変形例に係るオーディオ装置５を示す図である。
【図９】自装置の姿勢と各スピーカに供給する音声信号の制御内容を対応づけたテーブルを示す図である。
【図１０】テーブルの変形例を示す図である。
【発明を実施するための形態】
【００１５】
以下、図面を参照して、本発明のオーディオ装置に係る実施形態について説明する。
【００１６】
図１（Ａ）は、オーディオ装置および外部装置の外観斜視図であり、図１（Ｂ）はＺ方向から見た図である。図２（Ａ）は、オーディオ装置の構成を示すブロック図であり、図２（Ｂ）は、外部装置の構成を示すブロック図である。なお、本実施形態において、オーディオ装置の前面方向をＺ方向、背面方向を−Ｚ方向、右面方向をＸ方向、左面方向を−Ｘ方向、上面方向をＹ方向、下面方向を−Ｙ方向とする。
【００１７】
オーディオ装置１は、直方体形状の筐体（装置本体）１０を備えている。図１では示していないが、筐体１０には、音量等を調整するための操作部１８や、電源ケーブル等を接続するコネクタが設けられている。筐体１０は、背面、上面、下面、右面、および左面のいずれか一面を鉛直下方にして机上等に設置することができる。
【００１８】
筐体１０の前面には、複数のスピーカ（スピーカ１５Ａ、スピーカ１５Ｂ、スピーカ１５Ｃ、およびスピーカ１５Ｄ）が設置されている。各スピーカは、筐体１０の前面方向に放音方向が向けられている。
【００１９】
筐体１０の前面には、外部装置２を装着するためのインタフェース（Ｉ／Ｆ）１７が設けられている。Ｉ／Ｆ１７は、Ｚ方向に突出し、かつＹ方向に向かって突出したコネクタからなる。これにより、外部装置２を、筐体１０の前面に、オーディオ装置１と同じ姿勢（外部装置２の前面と筐体１０の前面が同じ方向、かつ外部装置２の上面と筐体１０の上面が同じ方向）で装着することができる。外部装置２は、例えば、携帯音楽プレーヤ、タブレット型コンピュータ、ＰＤＡ（Personal Digital Assistant）、携帯電話機等の情報処理端末である。
【００２０】
外部装置２は、内部の記憶部２３に音データを記憶している。制御部２６は、記憶部２３からオーディオデータを読み出し、Ｉ／Ｆ２７を介して外部に出力する。なお、外部装置２は、表示部２４および操作部２８からなるタッチパネルを備えている。
【００２１】
表示部２４および操作部２８からなるタッチパネルは、外部装置２の前面に設置されており、外部装置２がオーディオ装置１に装着された場合に、オーディオ装置１の前面と同じ方向に向けられる。したがって、ユーザは、オーディオ装置１に外部装置２を装着した場合に、このタッチパネルを視認しつつ操作可能となっている。
【００２２】
オーディオ装置１の制御部１６は、受信手段であるＩ／Ｆ１７を介して外部装置２からオーディオデータを受信する。制御部１６は、記憶部１２に記憶されている各種プログラムを読み出し、内蔵ＲＡＭ（不図示）に展開することで種々の動作を行う。制御部１６は、Ｉ／Ｆ１７からオーディオデータを受信すると、当該オーディオデータをエンコードし、デジタル音声信号として信号処理部１３に出力する。信号処理部１３は、ＤＳＰを内蔵し、入力したデジタル音声信号に種々の信号処理を施す。例えば、信号処理部１３は、ステレオチャンネルの音声信号を入力した場合、制御部１６の制御に従って、各チャンネルの音声信号をスピーカ１５Ａ、スピーカ１５Ｂ、スピーカ１５Ｃ、およびスピーカ１５Ｄに分配する。そして、信号処理部１３から出力された音声信号は、それぞれＤ／Ａコンバータ１４Ａ、Ｄ／Ａコンバータ１４Ｂ、Ｄ／Ａコンバータ１４Ｃ、およびＤ／Ａコンバータ１４Ｄでアナログ音声信号に変換され、スピーカ１５Ａ、スピーカ１５Ｂ、スピーカ１５Ｃ、およびスピーカ１５Ｄに供給される。このようにして、外部装置２のオーディオデータが再生され、オーディオ装置１から放音される。
【００２３】
オーディオ装置１は、３軸加速度センサ、デジタルコンパス、ジャイロセンサ等からなるセンサ１１を内蔵している。制御部１６は、センサ１１の検出結果に応じて自装置の姿勢を検出する。
【００２４】
記憶部１２は、自装置の姿勢と各スピーカに供給する音声信号の制御内容を対応づけたテーブルを記憶している（図９を参照）。制御部１６は、センサ１１の検出結果に応じて自装置の姿勢を検出し、検出した自装置の姿勢で対応づけテーブルを参照し、各スピーカに供給する音声信号を制御する。
【００２５】
例えば、制御部１６は、図３（Ａ）に示すように、筐体１０の下面が鉛直下方に向けられた姿勢であることを検出すると、図９に示すテーブルの「下面が下」欄を参照し、右面側に位置するスピーカ１５Ｂおよびスピーカ１５Ｄに右（Ｒ）チャンネルの音声信号を供給し、左面側に位置するスピーカ１５Ａおよびスピーカ１５Ｃに左（Ｌ）チャンネルの音声信号を供給する。つまり、聴取者から見て相対的に右側に位置し、右側から音声を放音するスピーカ１５Ｂおよびスピーカ１５ＤにＲチャンネルの音声信号を供給し、聴取者から見て相対的に左側に位置するスピーカ１５Ａおよびスピーカ１５ＣにＬチャンネルの音声信号を供給する。一方で、制御部１６は、図３（Ｂ）に示すように、筐体１０の左面が鉛直下方に向けられた姿勢であることを検出すると、図９に示すテーブルの「左面が下」欄を参照し、下面側に位置するスピーカ１５Ｃおよびスピーカ１５ＤにＲチャンネルの音声信号を供給し、上面側に位置するスピーカ１５Ａおよびスピーカ１５ＢにＬチャンネルの音声信号を供給する。つまり、聴取者から見て相対的に右側に位置するスピーカ１５Ｃおよびスピーカ１５ＤにＲチャンネルの音声信号を供給し、聴取者に向かって左側に位置するスピーカ１５Ａおよびスピーカ１５ＢにＬチャンネルの音声信号を供給する。
【００２６】
また、本実施形態のオーディオ装置は、筐体１０の下面、上面、右面または左面を鉛直下方に向けて設置すると、聴取者から見て上側に位置するスピーカと下側に位置するスピーカが存在することになる。そこで、制御部１６は、図４（Ａ）に示すように、筐体１０の下面が鉛直下方に向けられた姿勢であることを検出すると、図９に示すテーブルの「下面が下」欄を参照し、右面かつ上面側に位置するスピーカ１５Ｂに高域のＲチャンネルの音声信号を供給し、右面かつ下面側に位置するスピーカ１５Ｄに低域のＲチャンネルの音声信号を供給し、左面かつ上面側に位置するスピーカ１５Ａに高域のＬチャンネルの音声信号を供給し、左面かつ下面側に位置するスピーカ１５Ｃに低域のＬチャンネルの音声信号を供給する。つまり、聴取者から見て相対的に右上側に位置し、右上側から音声を放音するスピーカ１５Ｂに高域のＲチャンネルの音声信号を供給し、聴取者から見て相対的に右下側に位置し、右下側から音声を放音するスピーカ１５Ｄに低域のＲチャンネルの音声信号を供給し、聴取者から見て相対的に左上側に位置し、左上側から音声を放音するスピーカ１５Ａに高域のＬチャンネルの音声信号を供給し、聴取者から見て相対的に左下側に位置し、左下側から音声を放音するスピーカ１５Ｃに低域のＬチャンネルの音声信号を供給する。
【００２７】
一方で、制御部１６は、図４（Ｂ）に示すように、筐体１０の左面が鉛直下方に向けられた姿勢であることを検出すると、図９に示すテーブルの「左面が下」欄を参照し、右面かつ下面側に位置するスピーカ１５Ｄに高域のＲチャンネルの音声信号を供給し、左面かつ下面側に位置するスピーカ１５Ｃに低域のＲチャンネルの音声信号を供給し、右面かつ上面側に位置するスピーカ１５Ｂに高域のＬチャンネルの音声信号を供給し、左面かつ上面側に位置するスピーカ１５Ａに低域のＬチャンネルの音声信号を供給する。つまり、聴取者から見て相対的に右上側に位置し、右上側から音声を放音するスピーカ１５Ｄに高域のＲチャンネルの音声信号を供給し、聴取者から見て相対的に右下側に位置し、右下側から音声を放音するスピーカ１５Ｃに低域のＲチャンネルの音声信号を供給し、聴取者から見て相対的に左上側に位置し、左上側から音声を放音するスピーカ１５Ｂに高域のＬチャンネルの音声信号を供給し、聴取者から見て相対的に左下側に位置し、左下側から音声を放音するスピーカ１５Ａに低域のＬチャンネルの音声信号を供給する。なお、この例では、チャンネルおよび帯域を制御する例を示したが、全スピーカに同じチャンネル（モノラル）の音声信号を供給し、帯域だけを制御することも可能である。
【００２８】
また、図５（Ａ）に示すように、制御部１６は、筐体１０の背面が鉛直下方に向けられた姿勢であることを検出すると、図９に示すテーブルの「背面が下」欄を参照し、対角線上に位置するスピーカにそれぞれＲチャンネルおよびＬチャンネルの音声信号を供給する。すなわち、スピーカ１５Ａおよびスピーカ１５ＤにＲチャンネルの音声信号を供給し、スピーカ１５Ｂおよびスピーカ１５ＣにＬチャンネルの音声信号を供給する。あるいは、スピーカ１５Ｂおよびスピーカ１５ＣにＲチャンネルの音声信号を供給し、スピーカ１５Ａおよびスピーカ１５ＤにＬチャンネルの音声信号を供給する。
【００２９】
また、図５（Ｂ）に示すように、制御部１６は、全てのスピーカに同じチャンネル（ミックスダウンしたモノラル）の音声信号を供給する態様とすることも可能である。
【００３０】
また、音声信号の制御例としては、他にも周波数特性の制御、音響効果（音場）の付加等が考えられる。特に、図５（Ｂ）に示したように全てのスピーカに同じチャンネル（モノラル）の音声信号を供給する場合、左右のステレオ感がなくなるため、広がり感のある音響効果を付与することが望ましい。
【００３１】
このように、本実施形態のオーディオ装置１は、設置姿勢に応じてチャンネルや帯域等の制御を行うため、設置姿勢を変更した場合でも自動的に最適な放音態様が実現される。
【００３２】
次に、図６（Ａ）は、オーディオ装置１の動作を示すフローチャートである。制御部１６は、起動後にまず記憶部１２に記憶されている初期設定を読み出す（ｓ１）。初期設定は、記憶部１２に記憶されているデフォルトの制御内容（例えば図５（Ｂ）の様な全スピーカにモノラルチャンネルを供給する制御）であってもよいが、現時点でのセンサ１１の検出結果から、現時点での自装置の設置姿勢を検出し、検出した姿勢で記憶部１２の対応づけテーブルを参照して制御内容を決定してもよい。
【００３３】
そして、制御部１６は、センサ１１の検出結果から、自装置の姿勢が変化したか否かを判断する（ｓ２）。制御部１６は、自装置の姿勢が変化したと判断した場合、記憶部１２の対応づけテーブルを参照し（ｓ３）、制御内容を読み出して、各スピーカに供給する音声信号を制御する（ｓ４）。
【００３４】
一方、図６（Ｂ）に示すように、制御部１６は、外部装置２から姿勢情報（センサの情報）を受信し、受信した姿勢情報に基づいて各スピーカに供給する音声信号を制御する態様も可能である。この場合、記憶部１２には、外部装置の姿勢情報と制御内容を対応づけたテーブルを記憶し、制御部１６は、受信した外部装置の姿勢情報に基づいて、自装置の姿勢を判断し、当該テーブルを参照することで各スピーカに供給する音声信号を制御する。
【００３５】
この場合、制御部１６は、起動後にまず記憶部１２に記憶されている初期設定を読み出す（ｓ２１）。この場合、自装置の姿勢を検出する必要がないため、初期設定は、記憶部１２に記憶されているデフォルトの制御内容である。
【００３６】
そして、外部装置２の制御部２６は、センサ２１の検出結果から、自装置の姿勢が変化したか否かを判断する（ｓ１１）。制御部２６は、自装置の姿勢が変化したと判断した場合、オーディオ装置１に姿勢情報を送信する。姿勢情報は、センサ２１の検出結果そのものであってもよいが、鉛直下方に向いている面がどの面であるかを示す情報であってもよい。
【００３７】
オーディオ装置１の制御部１６は、外部装置２から姿勢情報を受信した場合（ｓ２２）、受信した外部装置２の姿勢情報と制御内容を対応づけたテーブルを参照する（ｓ２３）。そして、制御部１６は、制御内容を読み出して、各スピーカに供給する音声信号を制御する（ｓ２４）。
【００３８】
なお、図６（Ｂ）の例では、オーディオ装置１に外部装置２が装着された結果、オーディオ装置１と外部装置２が同じ姿勢を示すことを前提として、制御内容のテーブルを規定しているが、Ｉ／Ｆ１７の位置や向きが異なる場合、同じ姿勢を示すとは限らない。例えば、Ｚ方向に向かってコネクタが突出している場合、外部装置２はオーディオ装置１の前面に対して垂直に設置されることになる。したがって、オーディオ装置１の背面を鉛直下方に向けると外部装置２の下面が鉛直下方に向けられることになる。この場合、記憶部１２には、図１０に示すように、下面が鉛直下方に向けられていることを示す情報と、オーディオ装置１の背面が鉛直下方に向けられた場合の制御内容と、を対応づけたテーブルを記憶しておく。そして、制御部１６は、外部装置２から姿勢情報として下面が鉛直下方に向けられていることを示す情報を受信した場合、図１０の「姿勢情報：下面が下」を参照し、オーディオ装置１の背面が鉛直下方に向けられた場合の制御（図５の例）を実現する。
【００３９】
また、本発明の応用例として、外部装置２の音声信号の供給先を示す供給先情報を受信し、制御部１６が、受信した供給先情報に基づいて、受信した音声信号の供給先のスピーカを決定する態様とすることも可能である。
【００４０】
図７は、応用例に係る制御例を示す図である。この場合、オーディオ装置１は、外部装置２と連携した放音態様を実現する。ここでは、図７に示すように、オーディオ装置１の前面中央に外部装置２を装着し、当該外部装置２の上面側および下面側にそれぞれ２つ（合計４つ）のスピーカが設置された状況である場合について説明する。
【００４１】
この場合、外部装置２は、ゲーム機（あるいはゲーム機能を内蔵した情報処理端末）であり、オーディオ装置１に装着された１つのゲーム機を複数ユーザが同時に操作する場合を想定している。つまり、外部装置２の下面側（スピーカ１５Ｃおよびスピーカ１５Ｄが設置されている側）に一方のユーザが存在し、外部装置２の上面側（スピーカ１５Ａおよびスピーカ１５Ｂが設置されている側）に他方のユーザが存在し、同時に外部装置２のタッチパネルを操作する場合を想定している。
【００４２】
この場合、外部装置２は、一方のユーザに対する音声（Ｃｈ．１）の供給先を下面側のスピーカとし、他方のユーザに対する音声（Ｃｈ．２）の供給先を上面側のスピーカとする供給先情報を送信する。
【００４３】
外部装置２がゲーム機である場合、外部装置２の基本プログラムが、上記の様な供給先情報を制御部１６に送信させる。あるいは、アプリケーションソフトウェアが上記の様な供給先情報を制御部１６に送信させる。外部装置２がゲーム機能を内蔵した情報処理端末である場合も、アプリケーションソフトウェアが上記の様な供給先情報を制御部１６に送信させる。
【００４４】
オーディオ装置１の制御部１６は、上記供給先情報を受信すると、外部装置２から入力しているＣｈ．１の音声信号をスピーカ１５Ｃおよびスピーカ１５Ｄに供給する。このとき、ユーザから見て右側に位置することになるスピーカ１５ＤにＲチャンネルの音声信号を供給し、ユーザから見て左側に位置することになるスピーカ１５ＣにＬチャンネルの音声信号を供給する。同様に、制御部１６は、上記供給先情報を受信すると、外部装置２から入力しているＣｈ．２の音声信号のうち、Ｒチャンネルの音声信号をスピーカ１５Ａに供給し、Ｌチャンネルの音声信号をスピーカ１５Ｂに供給する。
【００４５】
なお、上記実施形態では、スピーカが４つ設けられている例を示したが、スピーカの数や設置位置はこの例に限るものではない。例えば、図８（Ａ）に示すように、２つのスピーカ１５Ｃおよびスピーカ１５Ｄが設置されたオーディオ装置５の場合でも同じ制御が可能である。このオーディオ装置５は、図１および図２に示したオーディオ装置１からスピーカ１５Ａおよびスピーカ１５Ｂを省略したものであり、他の構成は同一である。
【００４６】
この場合、制御部１６は、筐体１０の下面が鉛直下方に向けられた姿勢であることを検出すると、右面側に位置するスピーカ１５ＤにＲチャンネルの音声信号を供給し、左面側に位置するスピーカ１５ＣにＬチャンネルの音声信号を供給する。一方で、制御部１６は、図８（Ｂ）に示すように、筐体１０の左面が鉛直下方に向けられた姿勢であることを検出すると、左面側に位置するスピーカ１５Ｃにミックスダウンしたモノラルチャンネルの音声信号の低域成分を供給し、右面側に位置するスピーカ１５Ｄにモノラルチャンネルの音声信号の高域成分を供給する。つまり、図８（Ａ）の設置姿勢では、聴取者から見て相対的に右側に位置するスピーカ１５ＤにＲチャンネルの音声信号を供給し、聴取者に向かって左側に位置するスピーカ１５ＣにＬチャンネルの音声信号を供給するが、図８（Ｂ）の設置姿勢では、聴取者から見て相対的に上側に位置するスピーカ１５Ｄに高域の音声信号を供給し、聴取者に向かって下側に位置するスピーカ１５Ｃに低域の音声信号を供給する。
【００４７】
なお、図８（Ｂ）のようにモノラルチャンネルの音声信号を供給する場合、左右のステレオ感がなくなるため、広がり感のある音響効果を付与することが望ましい。また、仮に図８（Ｂ）の設置姿勢においてチャンネル制御を行わずに、スピーカ１５ＣにＬチャンネルの音声信号を供給し、スピーカ１５ＤにＲチャンネルの音声信号を供給する場合であっても、左右のステレオ感がなくなるため、広がり感のある音響効果を付与することが望ましい。
【符号の説明】
【００４８】
１…オーディオ装置
２…外部装置
１０…筐体
１１…センサ
１２…記憶部
１３…信号処理部
１４Ａ，１４Ｂ，１４Ｃ，１４Ｄ…Ｄ／Ａコンバータ
１５Ａ、１５Ｂ，１５Ｃ，１５Ｄ…スピーカ
１６…制御部
１７…Ｉ／Ｆ
１８…操作部
２１…センサ
２３…記憶部
２４…表示部
２６…制御部
２７…Ｉ／Ｆ
２８…操作部
【図１】
0005644748.tif 000002
【図２】
0005644748.tif 000003
【図３】
0005644748.tif 000004
【図４】
0005644748.tif 000005
【図５】
0005644748.tif 000006
【図６】
0005644748.tif 000007
【図７】
0005644748.tif 000008
【図８】
0005644748.tif 000009
【図９】
0005644748.tif 000010
【図１０】
0005644748.tif 000011